(57)【要約】【課題】油性成分の抽出を、簡便な工程で効率的に行うことができる抽出方法。【解決手段】油性成分の抽出方法は、工程（Ａ）容器２０中で材料と液体状態のジメチルエーテルとを接触させて処理物を得る工程と、工程（Ｂ）処理物中のジメチルエーテルを、気体状態のジメチルエーテルとして除去する工程と、工程（Ｃ）ジメチルエーテルが除去された処理物に、分離溶媒をさらに加えて、油性成分を分離溶媒に溶解させる工程と、工程（Ｄ）油性成分が溶解した分離溶媒を選択的に得る工程と、工程（Ｅ）油性成分が溶解した分離溶媒から油性成分を抽出する工程とを含む。【選択図】図１
2015213872.tif 000002
【特許請求の範囲】
【請求項１】
水分及び油性成分を含有する材料からの油性成分の抽出方法であって、
工程（Ａ）容器中で前記材料と液体状態のジメチルエーテルとを接触させて処理物を得る工程と、
工程（Ｂ）前記処理物中のジメチルエーテルを、気体状態のジメチルエーテルとして除去する工程と、
工程（Ｃ）ジメチルエーテルが除去された前記処理物に、分離溶媒をさらに加えて、前記油性成分を該分離溶媒に溶解させる工程と、
工程（Ｄ）前記油性成分が溶解した前記分離溶媒を選択的に得る工程と、
工程（Ｅ）前記油性成分が溶解した前記分離溶媒から前記油性成分を抽出する工程と
を含む、油性成分の抽出方法。
【請求項２】
前記工程（Ａ）が、前記材料と液体状態のジメチルエーテルとの混合液を前記処理物として得る工程であり、
前記工程（Ｂ）が、前記混合液中のジメチルエーテルを、気体状態のジメチルエーテルとして前記容器外に導出することにより、ジメチルエーテルが除去された混合液を得る工程であり、
前記工程（Ｃ）が、ジメチルエーテルが除去された前記混合液に、分離溶媒をさらに加えて、前記油性成分を該分離溶媒に溶解させる工程である、請求項１に記載の油性成分の抽出方法。
【請求項３】
前記工程（Ａ）が、前記材料と液体状態のジメチルエーテルとを混合し、前記容器中で撹拌する工程である、請求項２に記載の油性成分の抽出方法。
【請求項４】
前記工程（Ｂ）が、前記容器外に導出されたジメチルエーテルを回収し、回収されたジメチルエーテルを、ジメチルエーテルが除去された前記混合液に液体状態のジメチルエーテルとして供給して前記工程（Ａ）を行い、気体状態のジメチルエーテルとして前記容器外に誘導することにより、前記混合液を得る工程を１回以上繰り返す工程をさらに含む、請求項２又は３に記載の油性成分の抽出方法。
【請求項５】
前記分離溶媒が、ペンタン、ヘキサン、及びヘプタンからなる群から選択される、請求項１〜４のいずれか１項に記載の油性成分の抽出方法。
【請求項６】
前記分離溶媒がヘキサンである、請求項５に記載の油性成分の抽出方法。
【発明の詳細な説明】
【技術分野】
【０００１】
本発明は、所定の材料からの油性成分の抽出方法に関し、特に、油性成分を含有する藻類に加え、多量の水分を含有する材料からの油性成分の抽出方法に関する。
【背景技術】
【０００２】
例えば、イカダモ等の藻類は、多くの油性成分を生産する能力があり、かつ水中で培養することができることから、このような藻類から油性成分を抽出し、バイオ燃料などの材料として用いることが提案されている。
【０００３】
このような油性成分を含有する材料から油性成分を取り出すことを目的として、油性成分を含有する材料から、抽出溶媒を用いて油性成分を抽出する抽出方法が知られている。このような抽出方法として、例えば抽出溶媒としてヘキサンを用いるヘキサン抽出法が知られている（特許文献１参照。）。
【先行技術文献】
【特許文献】
【０００４】
【特許文献１】特開２０１１−６８７４１号公報
【発明の概要】
【発明が解決しようとする課題】
【０００５】
しかしながら、水中で培養された藻類は、水中から取り出され収集された状態においても多量の水分を含んでいるため、藻類を含む材料からの油性成分の抽出は非常に困難である。さらにはこのような藻類を材料として用いるヘキサン抽出法では、藻類の培養工程、得られた藻類の濃縮工程、濃縮された藻類の脱水工程、脱水された藻類の乾燥工程、乾燥された藻類の粉砕工程、ヘキサンによる抽出工程、ヘキサンと油性成分との熱分離工程などの煩雑な工程が必要である。
【０００６】
よって、本発明の課題は、油性成分に加え、多量の水分を含んだ材料からの油性成分の抽出を、簡便な工程で効率的に行うことができる油性成分の抽出方法を提供することにある。
【課題を解決するための手段】
【０００７】
本発明者らは、鋭意研究を進めたところ、ジメチルエーテル（以下、ＤＭＥという場合がある。）による処理と、ヘキサン等の分離溶媒による処理とを実施することにより、前記課題を解決できることを見出し、本発明を完成するに至った。
すなわち、本発明は下記［１］〜［６］を提供する。
［１］  水分及び油性成分を含有する材料からの油性成分の抽出方法であって、
工程（Ａ）容器中で前記材料と液体状態のジメチルエーテルとを接触させて処理物を得る工程と、
工程（Ｂ）前記処理物中のジメチルエーテルを、気体状態のジメチルエーテルとして除去する工程と、
工程（Ｃ）ジメチルエーテルが除去された前記処理物に、分離溶媒をさらに加えて、前記油性成分を該分離溶媒に溶解させる工程と、
工程（Ｄ）前記油性成分が溶解した前記分離溶媒を選択的に得る工程と、
工程（Ｅ）前記油性成分が溶解した前記分離溶媒から前記油性成分を抽出する工程と
を含む、油性成分の抽出方法。
［２］  前記工程（Ａ）が、前記材料と液体状態のジメチルエーテルとの混合液を前記処理物として得る工程であり、
前記工程（Ｂ）が、前記混合液中のジメチルエーテルを、気体状態のジメチルエーテルとして前記容器外に導出することにより、ジメチルエーテルが除去された混合液を得る工程であり、
前記工程（Ｃ）が、ジメチルエーテルが除去された前記混合液に、分離溶媒をさらに加えて、前記油性成分を該分離溶媒に溶解させる工程である、［１］に記載の油性成分の抽出方法。
［３］  前記工程（Ａ）が、前記材料と液体状態のジメチルエーテルとを混合し、前記容器中で撹拌する工程である、［２］に記載の油性成分の抽出方法。
［４］  前記工程（Ｂ）が、前記容器外に導出されたジメチルエーテルを回収し、回収されたジメチルエーテルを、ジメチルエーテルが除去された前記混合液に液体状態のジメチルエーテルとして供給して前記工程（Ａ）を行い、気体状態のジメチルエーテルとして前記容器外に誘導することにより、前記混合液を得る工程を１回以上繰り返す工程をさらに含む、［２］又は［３］に記載の油性成分の抽出方法。
［５］  前記分離溶媒が、ペンタン、ヘキサン、及びヘプタンからなる群から選択される、［１］〜［４］のいずれか１つに記載の油性成分の抽出方法。
［６］  前記分離溶媒がヘキサンである、［５］に記載の油性成分の抽出方法。
【発明の効果】
【０００８】
本発明によれば、油性成分に加え、多量の水分を含んだ、例えば培養により得られた藻類に由来する材料からの油性成分の抽出を、簡便な工程で効率的に行うことができる。
【図面の簡単な説明】
【０００９】
【図１】図１は、抽出方法に用いられる装置の構成を概略的に示す図である。
【発明を実施するための形態】
【００１０】
１．抽出方法
まず、抽出方法について説明する。
本発明の実施形態にかかる油性成分の抽出方法は、油性成分に加え、多量の水分を含んだ材料から、油性成分を抽出する方法である。
【００１１】
本発明の実施形態にかかる抽出方法は、容器の内外にジメチルエーチルを流通（循環）させつつ材料と接触させる流通式の態様、閉鎖系でジメチルエーテルと材料とを混合（撹拌）する撹拌式（バッチ式）の態様のいずれにも適用することができる。以下、これら両方の態様について説明する。
【００１２】
（材料）
本発明の実施形態にかかる抽出方法が適用される材料としては、油性成分及び水分を含有する任意の材料が用いられ得る。ここで「油性成分」とは、本発明の実施形態にかかる抽出方法により抽出される、１又は２以上の成分を含む物質をいう。抽出される油性成分は、有用な成分であっても、例えば環境や人体に対して有害であるなどの除去されるべき不要な成分であってもよいが、材料から抽出して有用な成分として用いられ得る成分であることが好ましい。
【００１３】
有用な油性成分を抽出する例としては、亜瀝青炭、褐炭、亜炭、泥炭等を含む石炭、下水汚泥等の含水物質、油性成分を含む生体材料と多量の水分とを含む混合物を材料とし、この材料から油性成分を取り出し、バイオ燃料の原料などの有用な油性材料を製造する例を挙げることができる。
【００１４】
前記生体材料の具体例としては、ユーグレナ、イカダモ等の油性成分を産生して含有し得る藻類、ヒマワリ、ゴマ、トウモロコシ等の種子、サトウキビの茎の髄等を挙げることができる。バイオ燃料の原料などの有用な油性材料を効率的に得る観点から、生体材料としてはユーグレナを用いることが好ましい。
【００１５】
また、前記生体材料を含む混合物としては、これらの生体材料及び必要ならばその培養に用いられる各種の物質を含む混合物を挙げることができる。例えば、前記生体材料として油性成分を産生して含有し得る藻類等の水界で培養できる生物を用いる場合、濾過、遠心分離等の任意好適な処理により収集（濃縮）された生物と水分とを含む混合物を、本発明の抽出方法に供することができる。また、材料の安定供給、保存等の観点から、生体材料に対して凍結、乾燥、破砕等の処理を施した処理物を材料として用いてもよい。
【００１６】
前記材料中の水分の含有割合は、より少ないことがエネルギー効率の観点からは好ましい。しかしながら、本発明の抽出方法においては、材料中の水分の含有割合（工程（Ａ）に供する直前の段階における材料の全量に対する水分の割合）は５０質量％以上であってよく、さらには９０質量％以上であってもよい。特に撹拌式を用いる場合には、材料中の水分の含有割合は９５質量％程度であってもよい。このように多量の水分を含む材料であっても、本発明の実施形態にかかる抽出方法では、効率的に油性成分を抽出することができる。従って、本発明の抽出方法に供する前の予備的な脱水処理を軽度にしか行うことができなかった材料、又は予備的な脱水処理を行わなかった材料を用いたとしても、油性成分の抽出を簡便な工程で効率的に行うことができる。
【００１７】
本発明の実施形態にかかる抽出方法において、材料が含有する油性成分とは、水以外の物質であり、かつ液体状態のジメチルエーテル及び／又は分離溶媒に、水の飽和溶解度以上の濃度で溶解し得る物質である。好ましくは油性成分のジメチルエーテルへの溶解度は、水のジメチルエーテル及び／又は分離溶媒への溶解度の１０倍以上であり、より好ましくは、油性成分はジメチルエーテル及び／又は分離溶媒と任意の割合で相溶する。多くの油性成分は、液体状態のジメチルエーテル及び／又は分離溶媒と任意の割合で相溶するので、これらはいずれも、本発明の抽出方法に適用し得る。
【００１８】
本発明の実施形態にかかる抽出方法で抽出され得る油性成分の好適な例としては、上記のような生体材料が含有する有用な油性成分、特に藻類が産生し含有する油性成分を挙げることができる。このような藻類の例としては、ユーグレナ類（Ｅｕｇｌｅｎｉｄａ）、イカダモ属（Ｓｃｅｎｅｄｅｓｍｕｓ）、クロレラ属（Ｃｈｌｏｒｅｌｌａ）、アルスロスピラ属（Ａｒｔｈｒｏｓｐｉｒａ）、ボツリオコッカス属（Ｂｏｔｒｙｏｃｏｃｃｕｓ）、シュードコリシスチス属（Ｐｓｅｕｄｉｃｈｏｒｉｃｙｓｔｉｓ）に属する藻類が挙げられる。
【００１９】
用いられ得る藻類は、人為的に培養された藻類であっても、自然環境で採取された藻類であってもよい。
【００２０】
このような藻類として例えばユーグレナを培養して材料として用いる場合には、例えば「ユーグレナ  生理と生化学」、学会出版センター（１９８９）に記載されている従来公知の方法により培養することができる。
【００２１】
藻類により産生され、かつ本発明の実施形態にかかる抽出方法により抽出され得る油性成分は特に限定されない。藻類により産生される油性成分に含まれ得る成分の例としては、脂肪族カルボン酸と脂肪族アルコールとがエステル結合した脂肪族エステル化合物、炭素原子数が１５〜４０程度の範囲の常温で固体状又は液体状である脂肪族炭化水素が挙げられる。脂肪族炭化水素の例としては、直鎖状の脂肪族炭化水素が挙げられる。このような脂肪族炭化水素の具体例としては、ヘプタデセン、エイコサジエンが挙げられる。
【００２２】
（工程（Ａ））
本発明の実施形態にかかる抽出方法は、工程（Ａ）容器中で材料と液体状態のジメチルエーテルとを接触させて処理物を得る工程を含む。
工程（Ａ）は材料が含有する油性成分をジメチルエーテルに溶解させて抽出する工程である。
【００２３】
液体状態のジメチルエーテルは、２０℃において水を７．２質量％、３０℃では水を７．８質量％含有し得る。またジメチルエーテルは、既に説明したとおり水分を含有した状態であってもさらに多量の油性成分を溶解し得る。さらには液体状態のジメチルエーテルは、水に比べて極性が弱いため、油性成分を溶解するとともに、気体状態では水との分離が容易である。
【００２４】
このような特性を有するジメチルエーテルを用いれば、材料として例えば多量の水分を含む藻類を用いた場合であっても、藻類の細胞壁を破壊する工程、すなわち藻類の乾燥工程及び破砕工程、並びに水分を除去する工程を実施せずとも、極めて簡便に多量の水分を含む藻類から直接的に油性成分を抽出することができる。
【００２５】
工程（Ａ）が撹拌式で行われる場合には、工程（Ａ）は、容器中で材料と液体状態のジメチルエーテルとを接触させて処理物として混合液を得る工程である。
【００２６】
工程（Ａ）における材料と液体状態のジメチルエーテルとの接触の態様は、特に限定されず、材料と液体状態のジメチルエーテルとを接触させて容器中で混合する撹拌式の態様、ジメチルエーテルを容器の内外を流通するように循環させてジメチルエーテルの流れを材料に通す流通式の態様等の、ジメチルエーテルを用いる抽出方法で採用される任意の態様とすることができ、また材料の性状に応じて適宜選択することができる。
【００２７】
より具体的には、工程（Ａ）が流通式で行われる場合には、工程（Ａ）は、容器中で材料と液体状態のジメチルエーテルとを接触させて処理物として混合液を得る工程であってよいし、処理物として、材料と液体状態のジメチルエーテルとを接触させて得た混合物をフィルター等を用いて容器外に固液分離して得た抽出液及び残渣を得る工程であってもよい。
【００２８】
工程（Ａ）が流通式で行われる場合には、固液分離により得られた抽出液を容器内に再導入する工程をさらに１回又は２回以上行ってもよい。ジメチルエーテルは多量の油性成分を含有することができるため、このようにすれば油性成分の回収率をより高めることができる。
【００２９】
工程（Ａ）に用いられ得るジメチルエーテルの製造方法及び製造装置の例としては、特開平１１−１３０７１４号公報、特開平１０−１９５００９号公報、特開平１０−１９５００８号公報、特開平１０−１８２５２７号公報から特開平１０−１８２５３５号公報、特開平０９−３０９８５０号から特開平０９−３０９８５２号公報、特開平０９−２８６７５４号公報、特開平０９−１７３８６３号公報、特開平０９−１７３８４８号公報、特開平０９−１７３８４５号公報が挙げられる。
【００３０】
より簡便な工程とし、用いられる装置構成をより簡易にする観点から、材料と液体状態のジメチルエーテルとを容器中で撹拌し、材料と液体状態のジメチルエーテルとを接触させて混合する撹拌式の態様が好ましい。
【００３１】
材料と液体状態のジメチルエーテルとを接触させて混合する撹拌式の態様とすれば、遠心分離工程、フィルタリング工程を行う必要がなくなるため、より簡便な工程とし、用いられる装置構成をより簡易にすることができる。またジメチルエーテルの回収率を高めることができるため、コストをより低減することができる。
【００３２】
工程（Ａ）に用いられるジメチルエーテルの量は、本発明の目的を損なわないことを条件として任意好適な量とすることができる。
【００３３】
工程（Ａ）が既に説明した撹拌式で実施される場合には、用いられるジメチルエーテルの量は、油性成分の抽出率の観点から、ジメチルエーテルの質量が、材料が水を９５質量％含有しているとした場合に、水以外の成分（固形分）の質量に対して、１０００程度の比となる量とすればよい。ジメチルエーテルの質量と水以外の成分の質量との比は、２００程度であることが好ましく、１６０程度であることがより好ましい。
【００３４】
また材料が乾燥処理及び破砕処理が行われた藻類等である場合には、液体状態のＤＭＥの量は、ＤＭＥの重量（ＤＭＥ重量）と絶乾燥状態の材料の重量（絶乾燥重量）との比である「ＤＭＥ重量／絶乾燥重量」の値が油性成分の抽出率の観点から、１０００程度となるような量とすればよい。「ＤＭＥ重量／絶乾燥重量」の値は、油性成分の抽出率の観点から、２００程度であることが好ましく、１６０程度であることがより好ましい。
【００３５】
工程（Ａ）が撹拌式で実施される場合には、撹拌は容器自体を振盪する（揺動させる）か、または容器中の混合物を撹拌翼、撹拌子などの従来公知の攪拌手段を用いて撹拌することにより実施することができる。
【００３６】
工程（Ａ）において、材料とジメチルエーテルとを接触させる系には、これら以外の他の物質が混在していてもよい。他の物質として、例えば、補助的な抽出溶媒が混在していてもよい。このような他の物質としては、ジメチルエーテルと同様に、２５℃（常温）、１ａｔｍで気体である物質であることが好ましい。また、毒性が低い、油性成分を溶解しやすい、容易に入手し得る等の特性の１以上を備える物質であることが好ましい。他の物質の例としては、エチルメチルエーテル、ホルムアルデヒド、アセトアルデヒド、ブタン及びプロパン等が挙げられる。これらの中でも特に、入手の容易さ（安価さ）、毒性の低さ、取り扱いにおける危険の少なさの観点から、ブタン及びプロパンを好ましく用いることができる。
【００３７】
ジメチルエーテルは常温かつ常圧で気体状態であるが、通常、３．５ａｔｍ（０．３５ＭＰａ）から５ａｔｍ（０．５１ＭＰａ）程度の範囲かつ常温で液体状態である。よって工程（Ａ）は加圧条件下かつ常温で行われるため、工程（Ａ）で用いられる容器及びかかる容器に接続される配管、バルブ等の構成はジメチルエーテルを液体状態で扱うことができる構成とされる。ここで「常温」とは特に温度調節を行っていない温度を意味しており、一般的には０℃〜５０℃程度の範囲の温度である。また「常圧」とは特に圧力調節を行っていない圧力（大気圧）を意味している。
【００３８】
工程（Ａ）の実施に際して、ジメチルエーテルの飽和蒸気圧の観点から、温度が−１０℃〜５０℃である場合には容器内の圧力は０．１８ＭＰａ〜１．１４ＭＰａの範囲とすればよく、温度が０℃〜４０℃である場合には圧力を０．２６ＭＰａ〜０．８９ＭＰａの範囲とすることがより好ましい。
【００３９】
工程（Ａ）が撹拌式で行われる場合の所要時間、すなわち材料と液体状態のジメチルエーテルとを接触させておくべき時間の上限は、油性成分の抽出が確実に行われることを条件として特に限定されない。工程（Ａ）が撹拌式で行われる場合の所要時間は、例えば５分間以内であっても油性成分の抽出には十分であると考えられる。工程（Ａ）の所要時間は、油性成分の確実な抽出と工程の簡便さとを両立させる観点から、例えば５分間〜３０分間程度とすることができる。
【００４０】
このように工程（Ａ）が撹拌式で行われる場合には、工程（Ａ）に要する時間、ひいては本発明の油性成分の抽出方法の実施に要する時間を短縮することができる。
【００４１】
（工程（Ｂ））
本発明の実施形態にかかる油性成分の抽出方法は、工程（Ｂ）処理物中のジメチルエーテルを、気体状態のジメチルエーテルとして除去する工程を含む。
【００４２】
工程（Ｂ）は、メチルエーテルに相溶していた油性成分を、ジメチルエーテルを気化して除去することによりジメチルエーテルから分離する工程である。この工程により、工程（Ａ）で材料から抽出された油性成分は、ジメチルエーテルから分離され、混合液中に材料及びジメチルエーテルから単離された状態で存在することとなる。
【００４３】
工程（Ｂ）は、工程（Ａ）により材料と液体状態のジメチルエーテルとを十分に接触（混合）した後に行われる。
【００４４】
撹拌式の場合には、工程（Ｂ）は、混合液中のジメチルエーテルを、気体状態のジメチルエーテルとして容器外に導出することにより、ジメチルエーテルが除去された混合液を得る工程である。
【００４５】
流通式の場合には、工程（Ｂ）は、混合液中のジメチルエーテルを、気体状態のジメチルエーテルとして容器外に導出することにより、ジメチルエーテルが除去された混合液を得る工程であるか、又は処理物として固液分離して得た抽出液を減圧条件下に置くことによりジメチルエーテルが除去された抽出液を得る工程であってもよい。
【００４６】
工程（Ｂ）は、圧力をジメチルエーテルの少なくとも一部又は全部が気体状態となる圧力まで減圧することにより、気体状態となったジメチルエーテルを配管、バルブ等を介して系外に誘導して可能な限り除去することにより行われる。工程（Ｂ）は、突沸を防止する観点から、時間をかけて徐々に減圧する工程とすることが好ましい。
【００４７】
工程（Ｂ）の実施に際して、ジメチルエーテルを効率的に除去する観点から、減圧後の圧力は、例えば、温度を−１０℃〜５０℃程度とし圧力を０．１８ＭＰａ〜１．１４ＭＰａ程度以下とすることが好ましく、温度を０℃〜４０℃程度とし圧力を０．２６ＭＰａ〜０．８９ＭＰａ程度以下とすることがより好ましい。
【００４８】
より効率的にジメチルエーテルを除去するために、大気圧よりも低い圧力にまで減圧してもよいし、容器自体を揺動させるなどしてもよい。
【００４９】
工程（Ｂ）は、ジメチルエーテルが除去された混合液又は抽出液をさらに加熱して、圧力に応じたジメチルエーテルの沸点以上の温度にする等のさらなる工程を含んでいてもよい。このようなさらなる工程を実施することにより、工程（Ｂ）の実施後に不可避的に残留するジメチルエーテルの残留割合をさらに低減させることができる。
【００５０】
ジメチルエーテルは、上記の通り比較的低い圧力条件下かつ常温で液体状態であり、常温かつ常圧で気体状態であることから、液体状態のジメチルエーテルは常温で上記所定の圧力又は常圧まで減圧するのみで気体状態のジメチルエーテルとして分離及び除去することが容易である。よって、本発明の実施形態にかかる抽出方法をより簡便な工程で実施することができ、実施に必要な設備、装置の構成をより簡易にすることができる。
【００５１】
工程（Ｂ）は、容器外に誘導されたジメチルエーテルを回収し、回収されたジメチルエーテルを、ジメチルエーテルが除去された混合液に液体状態のジメチルエーテルとして供給して工程（Ａ）を行い、気体状態のジメチルエーテルとして容器外に導出させることにより、混合液を得る工程を１回以上繰り返す工程（以下、回収及び繰り返し工程という。）をさらに含んでいてもよい。
【００５２】
工程（Ｂ）において、回収された気体状態のジメチルエーテルを液体状態のジメチルエーテルとする処理は、圧縮（加圧）工程、冷却工程、又はこれらの組み合わせといった当業者に公知の任意好適な方法を従来公知の任意好適な装置を用いて行うことができる。
【００５３】
既に説明した「回収及び繰り返し工程」を実施すれば、混合液、すなわち材料からの油性成分の抽出をより効果的に行うことができ、油性成分の回収率をより向上させることができる。
【００５４】
（工程（Ｃ））
本発明の実施形態にかかる油性成分の抽出方法は、工程（Ｃ）ジメチルエーテルが除去された処理物に、分離溶媒をさらに加えて、油性成分を該分離溶媒に溶解させる工程を含む。
工程（Ｃ）は、工程（Ａ）及び（Ｂ）により材料から抽出された油性成分を分離溶媒に溶解させることにより混合物又は抽出液から分離する工程である。
【００５５】
工程（Ｃ）に用いられる分離溶媒の量は、本発明の目的を損なわないことを条件として任意好適な量とすることができる。
【００５６】
工程（Ｃ）の実施に際して、分離溶媒の量は、油性成分の効率的な分離の観点から、ジメチルエーテルが除去された処理物の質量に対する分離溶媒の質量の比が１０程度となるようにすればよい。分離溶媒の量は、ジメチルエーテルが除去された処理物の質量に対する分離溶媒の質量の比が３程度であることが好ましく、１程度であることがより好ましい。
【００５７】
工程（Ｃ）は、常温常圧で分離溶媒を混合物又は抽出液に添加し、容器を振盪するか、又は撹拌翼、撹拌子などを用いて撹拌することにより実施することができる。
【００５８】
工程（Ｃ）は、２回以上繰り返し実施してもよい。工程（Ｃ）を複数回実施することにより、油性成分の回収率をより向上させることができる。
【００５９】
工程（Ｃ）で用いられ得る分離溶媒としては、例えばペンタン、ヘキサン、ヘプタン、ジクロロメタン、クロロホルム、アセトン、酢酸エチル、ベンゼン、エーテル類、及びトルエンを用いることができる。分離溶媒は、取り扱いの容易さの観点から、ペンタン、ヘキサン、及びヘプタンからなる群から選択されることが好ましく、ヘキサンを用いることがより好ましい。
【００６０】
本発明の実施形態にかかる抽出方法が、流通式で行われる場合には、固液分離された固形分に対して分離溶媒を加えることにより、不可避的に残存してしまった油性成分を分離する工程をさらに行ってもよい。かかる工程を実施すれば油性成分の回収率をさらに向上させることができる。
【００６１】
（工程（Ｄ））
本発明の実施形態にかかる油性成分の抽出方法は、工程（Ｄ）油性成分が溶解した分離溶媒を選択的に得る工程を含む。
工程（Ｄ）は、油性成分が溶解した分離溶媒を分取する工程である。
【００６２】
まず、工程（Ｃ）が実施された容器を所定時間、常温で静置する。容器を静置する時間は、分離溶媒と混合液又は抽出液（残滓）とが形成する層（相）の安定化の観点から、１分間〜３分間であることが好ましく、１分間以内であることがより好ましい。
【００６３】
この静置により、油性成分が溶解した分離溶媒と混合液又は抽出液（残滓）とが層（相）分離する。
【００６４】
次いで、層分離した、油性成分が溶解した分離溶媒のみを分取する。この分取工程は、従来公知の任意好適な分取方法及び装置により行うことができる。
【００６５】
（工程（Ｅ））
本発明の実施形態にかかる油性成分の抽出方法は、工程（Ｅ）油性成分が溶解した分離溶媒から油性成分を抽出する工程を含む。
【００６６】
工程（Ｄ）の実施後に工程（Ｅ）を行うことにより、分取された「油性成分が溶解した分離溶媒」から油性成分を抽出することにより油性成分を得る。
【００６７】
工程（Ｅ）は、選択された分離溶媒のみが気体状態となり、かつ油性成分が液体状態となる温度、圧力等の条件とし、気体状態となった分離溶媒を除去することにより行うことができる。
【００６８】
工程（Ｅ）は、例えば、分離溶媒がヘキサンである場合には、真空（減圧）条件下で温度を４０℃程度とすることで分離溶媒であるヘキサンを除去することができる。
【００６９】
以上の工程（Ａ）から工程（Ｅ）を実施することにより、材料からの油性成分の抽出を行うことができる。
【００７０】
（その他の工程）
抽出された油性成分は、例えば特定の成分のみを抽出するために従来公知の任意好適な精製工程に供してもよい。
また、抽出された油性成分の用途が燃料（バイオ燃料）である場合には、従来公知の任意好適な工程、例えば水素化脱酸素工程、水素化分解工程、水素化異性化工程、メチルエステル化工程などの改質工程を実施してもよい。
【００７１】
（残渣）
油性成分が抽出された後の残渣は、選択された材料に適した所定の方法で廃棄処理してもよいし、再利用してもよい。
例えば、材料として藻類を用いた場合には、残渣を医薬品、化粧品、食品、健康食品、特定保健用食品、化学品（工業材料）、飼料、肥料、燃料等の用途に用いることができる。
【００７２】
２．装置
以下、本発明の実施形態にかかる抽出方法を実施するための装置について図面を参照して説明する。
【００７３】
図面は、本発明が理解できる程度に構成要素の形状、大きさおよび配置が概略的に示されているに過ぎない。本発明は以下の図面に基づく説明によって限定されるものではなく、各構成要素は本発明の要旨を逸脱しない範囲で適宜変更可能である。
【００７４】
図１は、本発明の実施形態にかかる抽出方法に用いられる装置の構成を示す図である。
本発明の実施形態にかかる抽出方法に用いられる装置は、水分及び油性成分を含む材料から油性成分を抽出する機能を有している。
【００７５】
図１に示されるように、装置１０は、材料と、ジメチルエーテル又は分離溶媒とを接触（混合）させることができる容器２０を含んでいる。また、装置１０は、ジメチルエーテル及び／又は分離溶媒が貯蔵されている貯蔵槽３０と、容器２０と貯蔵槽３０とを接続しておりジメチルエーテル及び／又は分離溶媒を容器２０に導入するための導入配管４２とを備えている。
【００７６】
装置１０は、さらに容器２０に一端が接続されており気体状態のジメチルエーテルを容器２０外に導出する導出配管４４と、導出配管４４に設けられており容器２０内の圧力を調節するためのバルブ５０と、導出配管４４の他端に接続されており気体状態のジメチルエーテルを液化して液体状態にする液化器６０とを含んでいる。
【００７７】
装置１０は、さらにまた容器２０に一端が接続されており油性成分を含有する分離溶媒を容器２０外に導出する分離配管４８と、分離配管４８の他端に接続されており油性成分を含有する分離溶媒を貯蔵する分離槽７０とを含んでいる。分離槽７０は加熱処理等により、分離溶媒と油性成分とを分離して、油性成分を抽出することができる構成とされていてもよい。
【００７８】
装置１０は、液化器６０と、容器２０及び貯蔵槽３０とに接続されており気体状態から液体状態とされたジメチルエーテルを容器２０及び／又は貯蔵槽３０に再導入する再導入配管４６とを含んでいる。再導入配管４６は、液体状態のジメチルエーテル（油性成分、水分を含有するジメチルエーテル）を液化器６０を介さずに直接的に貯蔵槽３０に再導入する配管であってもよい。
【００７９】
装置１０は、本発明の目的を損なわないことを条件として、図１を参照して説明した前記の構成要素以外の図示されていない構成要素、例えば配管、バルブ等をさらに備えていてもよい。例えば、容器２０は、材料を導入するための配管、工程（Ａ）が流通式である場合にジメチルエーテルを材料に流通させるための配管、これらの流量を制御するためのバルブ、ポンプ、熱交換機、圧縮機、装置１０に含まれる各構成要素の動作を制御するための制御装置等をさらに備えていてもよい。
【００８０】
容器２０と、貯蔵槽３０と、導入配管４２、導出配管４４、再導出配管４６及び分離配管４８を含む配管４０と、バルブ５０と、液化器６０と、その他図示されていない任意好適な構成は、液体状態のジメチルエーテルを用いることができる構成とされる。
【００８１】
これら容器２０、貯蔵槽３０、配管４０、バルブ５０、液化器６０、分離槽７０等の形状、サイズ、容量、流量、材質（材料）等は、想定される実施規模に対応できるように、従来公知の任意好適な構成を採用することができる。
【実施例】
【００８２】
以下、実施例により本発明をより具体的に説明する。本発明は下記の実施例に限定されない。
【００８３】
＜実施例１＞
本実施例では、材料として、ユーグレナ（Ｅｕｇｌｅｎａ  Ｇｒａｃｉｌｉｓ  Ｚ株）の藻濃縮液を用いた。
【００８４】
（藻濃縮液の調製）
ユーグレナの培養を「ユーグレナ  生理と生化学」、学会出版センター（１９８９）付録に記載の方法に従って実施した。ユーグレナを面積１．２ｍ２のプールを利用して、Ｃｒａｍｅｒ−Ｍｙｅｒｓ培地を用いて、屋外で太陽光により７日間培養を行った。その後、同書１１４ページの記載に従って丸１日嫌気処理を行い、更にこれを３０００Ｇで３０分間遠心分離し、ユーグレナを実質的に含まない液層のみを除去することによって濃縮液を得た。同じ操作を繰り返すことにより、嫌気処理済みの濃縮液１５Ｌを回収した（以下、得られた濃縮液を藻濃縮液という。）。
【００８５】
本実施例で用いられた藻濃縮液の含水率は、３回測定した場合の平均値で９１．４質量％であった。
含水率は、藻濃縮液を真空乾燥処理することにより測定した。この真空乾燥処理は、乾燥温度を３５℃とし、乾燥時間を７時間として実施した。結果を下記表１に示す。
【００８６】
【表１】
2015213872.tif 000003
【００８７】
（藻濃縮液のＤＭＥによる処理）
絶乾藻重量で（１）１．０g、（２）０．５g、（３）０．２５g相当の３通りの量のユーグレナを含有する藻濃縮液を耐圧容器に注入した。耐圧容器に蒸留水を加え、藻濃縮液の水分量を９５質量％に調整した。
【００８８】
次に、耐圧容器内を気密状態に保ちつつ液体状態のＤＭＥを供給して、藻濃縮液とＤＭＥとを接触させた。液体状態のＤＭＥの量は、ＤＭＥの重量（ＤＭＥ重量）と絶乾燥状態のユーグレナの重量（絶乾燥重量）との比である「ＤＭＥ重量／絶乾燥重量」の値が（１）４０、（２）８０、（３）１６０の３通りとなるようにした。なお液体状態のＤＭＥが供給された時点で耐圧容器内の圧力は上昇し、加圧状態となる。
【００８９】
次いで、耐圧容器を撹拌機により転倒撹拌して、藻濃縮液とＤＭＥとを混合した。転倒撹拌は、回転数を５０ｒｐｍとし、３０分間実施した。
【００９０】
次に、耐圧容器を正位置に固定し、耐圧容器の気密状態を解除して耐圧容器内の圧力を減じることで液体状態のＤＭＥを気体状態とし、気体状態のＤＭＥを耐圧容器外に導出した。なお、この時点で耐圧容器内の圧力は大気圧となる。
【００９１】
（分離溶媒による処理）
ＤＭＥによる処理が完了した藻濃縮液を容量１００ｍＬの分液ロートに注入した。次いで、分液ロートに分離溶媒として４０ｍＬのヘキサンを加えた後、攪拌機を用いて転倒撹拌する処理を３回行った。
次に、分液ロートを３分間静置して混合液を層分離させた後、下層（水層）をビーカーに採取し、上層（有機層）をナス型フラスコに採取して油性成分を含有する分離溶媒を選択的に得た。
【００９２】
さらにビーカーに採取した水層を分液ロートに加え、分液ロートに分離溶媒として４０ｍＬのヘキサンを加え、攪拌機を用いて転倒撹拌する処理と分液ロートを３分間静置して混合液を層分離させた後、下層をビーカーに採取し、上層をナス型フラスコに採取して油性成分を含有する分離溶媒を選択的に得る処理とを３回繰り返した。
【００９３】
ナス型フラスコに採取された油性成分を含有する分離溶媒を、温度を４０℃としたエバポレーターで圧力を−０．１ＭＰａとして減圧乾燥した後、温度を５０℃とし圧力を−０．１ＭＰａとして５時間真空乾燥することにより分離溶媒から油性成分を抽出する抽出処理を行った。
【００９４】
（回収率）
抽出処理前後における、有機層を含むナス型フラスコの重量の変化から、抽出（回収）された油性成分の回収率を下記式により算出した。
式：回収率（％）＝抽出された油性成分の重量（ｇ）／絶乾燥重量（ｇ）
結果を下記表２に示す。
【００９５】
【表２】
2015213872.tif 000004
【００９６】
表２から明らかなように、「ＤＭＥ重量／絶乾燥重量」の値が（１）４０である場合には回収率は１０％を超えており、（２）８０である場合には１５％を超えており、（３）１６０である場合には２０％に迫っていた。
【００９７】
＜比較例１＞
（藻濃縮液の調製及び藻濃縮液のＤＭＥによる処理）
藻濃縮液の調製工程及び藻濃縮液のＤＭＥによる処理工程を、既に説明した実施例１と同様にして実施した。
【００９８】
（遠心分離）
ＤＭＥによる処理が完了した藻濃縮液の全量を遠心管に移し、２８００Ｇで６０分間遠心分離して、油性成分を含む液層と藻及び水を含む固形分とに固液分離した。
【００９９】
（分離溶媒による処理）
液層のみを分取して、容量１００ｍＬの分液ロートに注入した。次いで、分液ロートに分離溶媒として４０ｍＬのヘキサンを加え、攪拌機を用いて転倒撹拌する処理を３回繰り返した。
【０１００】
次に、分液ロートを３分間静置して混合液を層分離させた後、下層（水層）をビーカーに採取し、上層（有機層）をナス型フラスコに採取して油性成分を含有する分離溶媒を選択的に得た。さらにビーカーに採取した水層を分液ロートに加え、分液ロートに分離溶媒として４０ｍＬのヘキサンを加え、攪拌機を用いて転倒撹拌する処理と分液ロートを３分間静置して混合液を層分離させた後、下層をビーカーに採取し、上層をナス型フラスコに採取して油性成分を含有する分離溶媒を選択的に得る処理とを３回繰り返した。
【０１０１】
ナス型フラスコに採取された油性成分を含有する分離溶媒を、温度を４０℃としたエバポレーターで圧力を−０．１ＭＰａとして減圧乾燥した後、温度を５０℃とし圧力を−０．１ＭＰａとして５時間真空乾燥することにより分離溶媒から油性成分を抽出する抽出処理を行った。
【０１０２】
（回収率）
回収率を、既に説明した実施例１と同様にして計算して得た。結果を表３に示す。
【０１０３】
【表３】
2015213872.tif 000005
【０１０４】
表２及び表３から明らかなように、本発明の油性成分の抽出方法によれば、遠心分離工程を実施した比較例１と比較して、同等量以上の油性成分を得ることができた。すなわち、本発明の抽出方法によれば、油性成分を遠心分離工程といった煩雑な工程を行わずともより簡便な工程で効率的に得ることができる。
【０１０５】
＜比較例２＞
（藻濃縮液の調製）
絶乾藻重量で１．０ｇ相当のユーグレナを含有する藻濃縮液を秤量して容量１００ｍＬの分液ロートに注入した。分液ロート内の藻濃縮液にさらに蒸留水を加え、藻濃縮液の水分量を９５質量％に調整した。
【０１０６】
（分離溶媒による処理）
分液ロート内の抽出藻濃縮液に、分離溶媒として４０ｍＬのヘキサンを加え、攪拌機を用いて転倒撹拌する処理を３回繰り返した。
【０１０７】
次に、分液ロートを３分間静置して混合液を層分離させた後、下層（水層）をビーカーに採取し、上層（有機層）をナス型フラスコに採取して油性成分を含有する分離溶媒を選択的に得た。さらにビーカーに採取した水層を分液ロートに加え、分液ロートに分離溶媒として４０ｍＬのヘキサンを加え、攪拌機を用いて転倒撹拌する処理と分液ロートを３分間静置して混合液を層分離させた後、下層をビーカーに採取し、上層をナス型フラスコに採取して油性成分を含有する分離溶媒を選択的に得る処理とを３回繰り返した。
【０１０８】
ナス型フラスコに採取された油性成分を含有する分離溶媒を、温度を４０℃としたエバポレーターで圧力を−０．１ＭＰａとして減圧乾燥した後、温度を５０℃とし圧力を−０．１ＭＰａとして５時間真空乾燥することにより分離溶媒から油性成分を抽出する抽出処理を行った。
【０１０９】
（回収率）
回収率を、既に説明した実施例１と同様にして計算して得た。結果を表４に示す。
【０１１０】
【表４】
2015213872.tif 000006
【０１１１】
表２及び表４から明らかなように、ＤＭＥと分離溶媒とを併用する本発明の油性成分の抽出方法によれば、分離溶媒のみによる比較例２と比較して、油性成分の回収率をより向上させることができた。
【０１１２】
本発明の油性成分の抽出方法によれば、遠心分離工程等の煩雑な工程を実施せずとも油性成分の抽出を簡便な工程で効率的に行うことができる。また本発明の油性成分の抽出方法によれば、ジメチルエーテルのみならず、分離溶媒を用いて油性成分を抽出するので、油性成分の回収率をより高めることができる。
【符号の説明】
【０１１３】
１０  装置
２０  容器
３０  貯蔵槽
４０  配管
４２  導入配管
４４  導出配管
４６  再導入配管
４８  分離配管
５０  バルブ
６０  液化器
７０  分離槽
【図１】
2015213872.tif 000007